【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
画像データを圧縮符号化して第２の符号化データを生成する画像符号化装置であって、
前記画像データを第１の圧縮方式により圧縮符号化して第１の符号化データを生成する第１の圧縮符号化手段と、
第２の圧縮方式で使用される複数の符号化パラメータを保持する記憶手段と、
前記第１の符号化データのデータサイズの、前記画像データのデータサイズに対する比率に基づいて、前記記憶手段に保持された前記複数の符号化パラメータのうちのいずれかを選択する符号化パラメータ選択手段と、
前記画像データを前記符号化パラメータ選択手段が選択した符号化パラメータを使用して前記第２の圧縮方式により圧縮符号化して前記第２の符号化データを生成する第２の圧縮符号化手段と、
を備えることを特徴とする画像符号化装置。
【請求項２】
前記第２の圧縮方式は、画像データの予測符号化及びハフマン符号化を含み、前記複数の符号化パラメータそれぞれは前記ハフマン符号化で使用されるハフマンテーブルを含むことを特徴とする請求項１に記載の画像符号化装置。
【請求項３】
前記第１の圧縮方式は、画像データのＪＰＥＧ圧縮符号化を含むことを特徴とする請求項１又は２に記載の画像符号化装置。
【請求項４】
前記符号化パラメータ選択手段は、前記比率と、前記複数の符号化データそれぞれに対応して予め設定された複数の閾値とを比較し、この比較結果に基づいて前記選択を行うことを特徴とする請求項３に記載の画像符号化装置。
【請求項５】
前記複数の符号化パラメータそれぞれは、前記ハフマンテーブルとして、前記予測符号化により得られた予測差分値の絶対値が小さいほど短い符号を割り当てる傾向のあるハフマンテーブルを含み、前記傾向の強さは前記複数の符号化パラメータごとに異なっており、
前記符号化パラメータ選択手段は、前記比率が小さいほど、前記傾向が強いハフマンテーブルを含む符号化パラメータを選択することを特徴とする請求項２に記載の画像符号化装置。
【請求項６】
前記第１の圧縮方式は、画像データの予測符号化及びハフマン符号化を含み、前記第２の圧縮方式は、画像データのＪＰＥＧ圧縮符号化を含み、前記複数の符号化パラメータそれぞれは前記ＪＰＥＧ圧縮符号化で使用される量子化テーブル及びハフマンテーブルのうち少なくとも一方を含むことを特徴とする請求項１に記載の画像符号化装置。
【請求項７】
画像データを圧縮符号化して第２の符号化データを生成する画像符号化装置であって、
前記画像データの画像サイズが縮小された縮小画像データを第１の圧縮方式により圧縮符号化して第１の符号化データを生成する第１の圧縮符号化手段と、
第２の圧縮方式で使用される複数の符号化パラメータを保持する記憶手段と、
前記第１の符号化データのデータサイズの、前記画像データのデータサイズに対する比率に基づいて、前記記憶手段に保持された前記複数の符号化パラメータのうちのいずれかを選択する符号化パラメータ選択手段と、
前記画像データを前記符号化パラメータ選択手段が選択した符号化パラメータを使用して前記第２の圧縮方式により圧縮符号化して前記第２の符号化データを生成する第２の圧縮符号化手段と、
を備えることを特徴とする画像符号化装置。
【請求項８】
前記第１の圧縮方式は、画像データのＪＰＥＧ圧縮符号化を含み、前記第２の圧縮方式も、画像データのＪＰＥＧ圧縮符号化を含み、前記複数の符号化パラメータそれぞれは、前記第２の圧縮方式のＪＰＥＧ圧縮符号化で使用されるハフマンテーブルを含むことを特徴とする請求項７に記載の画像符号化装置。
【請求項９】
前記符号化パラメータ選択手段は、前記比率と、前記複数の符号化データそれぞれに対応して予め設定された複数の閾値とを比較し、この比較結果に基づいて前記選択を行うことを特徴とする請求項７又は８に記載の画像符号化装置。
【請求項１０】
画像データを圧縮符号化して第２の符号化データを生成する画像符号化方法であって、
第１の圧縮符号化手段が、前記画像データを第１の圧縮方式により圧縮符号化して第１の符号化データを生成する第１の圧縮符号化ステップと、
符号化パラメータ選択手段が、前記第１の符号化データのデータサイズの、前記画像データのデータサイズに対する比率に基づいて、記憶手段に保持された、第２の圧縮方式で使用される複数の符号化パラメータのうちのいずれかを選択する符号化パラメータ選択ステップと、
第２の圧縮符号化手段が、前記画像データを前記符号化パラメータ選択ステップで選択した符号化パラメータを使用して前記第２の圧縮方式により圧縮符号化して前記第２の符号化データを生成する第２の圧縮符号化ステップと、
を備えることを特徴とする画像符号化方法。
【請求項１１】
画像データを圧縮符号化して第２の符号化データを生成する画像符号化方法であって、
第１の圧縮符号化手段が、前記画像データの画像サイズが縮小された縮小画像データを第１の圧縮方式により圧縮符号化して第１の符号化データを生成する第１の圧縮符号化ステップと、
符号化パラメータ選択手段が、前記第１の符号化データのデータサイズの、前記画像データのデータサイズに対する比率に基づいて、記憶手段に保持された、第２の圧縮方式で使用される複数の符号化パラメータのうちのいずれかを選択する符号化パラメータ選択ステップと、
第２の圧縮符号化手段が、前記画像データを前記符号化パラメータ選択ステップで選択した符号化パラメータを使用して前記第２の圧縮方式により圧縮符号化して前記第２の符号化データを生成する第２の圧縮符号化ステップと、
を備えることを特徴とする画像符号化方法。
【請求項１２】
請求項１０又は１１に記載の画像符号化方法の各工程をコンピュータに実行させるためのプログラム。
【請求項１３】
請求項１２に記載のプログラムを記憶したコンピュータ可読記憶媒体。
【手続補正２】
【補正対象書類名】明細書
【補正対象項目名】０００８
【補正方法】変更
【補正の内容】
【０００８】
上述の問題点を解決するために、本発明による画像符号化装置は、画像データを圧縮符号化して第２の符号化データを生成する画像符号化装置であって、前記画像データを第１の圧縮方式により圧縮符号化して第１の符号化データを生成する第１の圧縮符号化手段と、第２の圧縮方式で使用される複数の符号化パラメータを保持する記憶手段と、前記第１の符号化データのデータサイズの、前記画像データのデータサイズに対する比率に基づいて、前記記憶手段に保持された前記複数の符号化パラメータのうちのいずれかを選択する符号化パラメータ選択手段と、前記画像データを前記符号化パラメータ選択手段が選択した符号化パラメータを使用して前記第２の圧縮方式により圧縮符号化して前記第２の符号化データを生成する第２の圧縮符号化手段と、を備えることを特徴とする。
【手続補正３】
【補正対象書類名】明細書
【補正対象項目名】０００９
【補正方法】変更
【補正の内容】
【０００９】
また、本発明による他の画像符号化装置は、画像データを圧縮符号化して第２の符号化データを生成する画像符号化装置であって、前記画像データの画像サイズが縮小された縮小画像データを第１の圧縮方式により圧縮符号化して第１の符号化データを生成する第１の圧縮符号化手段と、第２の圧縮方式で使用される複数の符号化パラメータを保持する記憶手段と、前記第１の符号化データのデータサイズの、前記画像データのデータサイズに対する比率に基づいて、前記記憶手段に保持された前記複数の符号化パラメータのうちのいずれかを選択する符号化パラメータ選択手段と、前記画像データを前記符号化パラメータ選択手段が選択した符号化パラメータを使用して前記第２の圧縮方式により圧縮符号化して前記第２の符号化データを生成する第２の圧縮符号化手段と、を備えることを特徴とする。
【手続補正４】
【補正対象書類名】明細書
【補正対象項目名】００１０
【補正方法】変更
【補正の内容】
【００１０】
また、本発明による画像符号化方法は、画像データを圧縮符号化して第２の符号化データを生成する画像符号化方法であって、第１の圧縮符号化手段が、前記画像データを第１の圧縮方式により圧縮符号化して第１の符号化データを生成する第１の圧縮符号化ステップと、符号化パラメータ選択手段が、前記第１の符号化データのデータサイズの、前記画像データのデータサイズに対する比率に基づいて、記憶手段に保持された、第２の圧縮方式で使用される複数の符号化パラメータのうちのいずれかを選択する符号化パラメータ選択ステップと、第２の圧縮符号化手段が、前記画像データを前記符号化パラメータ選択ステップで選択した符号化パラメータを使用して前記第２の圧縮方式により圧縮符号化して前記第２の符号化データを生成する第２の圧縮符号化ステップと、を備えることを特徴とする。
【手続補正５】
【補正対象書類名】明細書
【補正対象項目名】００１１
【補正方法】変更
【補正の内容】
【００１１】
また、本発明による他の画像符号化方法は、画像データを圧縮符号化して第２の符号化データを生成する画像符号化方法であって、第１の圧縮符号化手段が、前記画像データの画像サイズが縮小された縮小画像データを第１の圧縮方式により圧縮符号化して第１の符号化データを生成する第１の圧縮符号化ステップと、符号化パラメータ選択手段が、前記第１の符号化データのデータサイズの、前記画像データのデータサイズに対する比率に基づいて、記憶手段に保持された、第２の圧縮方式で使用される複数の符号化パラメータのうちのいずれかを選択する符号化パラメータ選択ステップと、第２の圧縮符号化手段が、前記画像データを前記符号化パラメータ選択ステップで選択した符号化パラメータを使用して前記第２の圧縮方式により圧縮符号化して前記第２の符号化データを生成する第２の圧縮符号化ステップと、を備えることを特徴とする。
【手続補正６】
【補正対象書類名】明細書
【補正対象項目名】００５１
【補正方法】削除
【補正の内容】